(57)【要約】      （修正有）【課題】位置登録の処理を遅らせることなく、その負荷を分散させる通信制御装置を実現する。【解決手段】制御部は、ＷＣＤＭＡシステムで待ち受け中に位置登録エリアが異なる基地局への移動が発生すると（ステップＳ１）、移動先となる基地局から取得した周辺セル情報にＬＴＥシステムのセルが含まれているか否かを判断し（ステップＳ２）、取得した周辺セル情報にＬＴＥシステムのセルが含まれていれば、乱数Ｚを発生し（ステップＳ３）、発生した乱数Ｚと予め記憶しておいた比較値Ｙとの比較結果に基づき通信システムの切り替えの可否を判別する（ステップＳ４）。これにより、例えば複数の携帯電話機が位置登録エリアを同時に跨いだ際に集中する基地局への位置登録の負荷を、位置登録の処理を遅らせることなく、その負荷を分散させる。【選択図】図３
2012239050.tif 000002
【特許請求の範囲】
【請求項１】
第１の通信システムで待ち受け中に、位置登録エリアが異なる基地局への移動が発生したか否かを判別する移動判別手段と、
前記移動判別手段により位置登録エリアが異なる基地局への移動が発生したと判別された場合に、移動先となる基地局から周辺セル情報を取得する周辺セル情報取得手段と、
前記周辺セル情報取得手段により取得された周辺セル情報に、第１の通信システムと異なり、かつ利用可能な第２の通信システムのセルが含まれているか否かを判別する周辺セル判別手段と、
前記周辺セル判別手段により第２の通信システムのセルが含まれていると判別された場合に乱数を発生する乱数発生手段と、
前記乱数発生手段により生成された乱数と予め記憶される比較値との比較結果に応じて、第１の通信システムから第２の通信システムへの切り替えの可否を判別する切り替え判別手段と
を具備することを特徴とする通信制御装置。
【請求項２】
前記切り替え判別手段は、予め記憶される比較値の大小に応じて、第１の通信システムから第２の通信システムに切り替える確率を変化させることを特徴とする請求項１記載の通信制御装置。
【請求項３】
乗車移動を検知する乗車移動検知手段と、
前記移動判別手段により異なる基地局への移動が発生したと判別され、かつ前記乗車移動検知手段により乗車移動が検知された場合に、前記周辺セル情報取得手段に周辺セル情報の取得を指示する取得指示手段と
を更に備えることを特徴とする請求項１乃至２の何れかに記載の通信制御装置。
【請求項４】
第１の通信システムで待ち受け中に、位置登録エリアが異なる基地局への移動が発生したか否かを判別する移動判別処理と、
前記移動判別処理により位置登録エリアが異なる基地局への移動が発生したと判別された場合に、移動先となる基地局から周辺セル情報を取得する周辺セル情報取得処理と、
前記周辺セル情報取得処理により取得された周辺セル情報に、第１の通信システムと異なり、かつ利用可能な第２の通信システムのセルが含まれているか否かを判別する周辺セル判別処理と、
前記周辺セル判別処理により第２の通信システムのセルが含まれていると判別された場合に乱数を発生する乱数発生処理と、
前記乱数発生処理により生成された乱数と予め記憶される比較値との比較結果に応じて、第１の通信システムから第２の通信システムへの切り替えの可否を判別する切り替え判別処理と
を具備することを特徴とする通信制御方法。
【請求項５】
前記切り替え判別処理は、予め記憶される比較値の大小に応じて、第１の通信システムから第２の通信システムに切り替える確率を変化させることを特徴とする請求項４記載の通信制御方法。
【請求項６】
乗車移動を検知する乗車移動検知処理と、
前記移動判別処理により異なる基地局への移動が発生したと判別され、かつ前記乗車移動検知処理により乗車移動が検知された場合に、前記周辺セル情報取得処理に周辺セル情報の取得を指示する取得指示処理と
を更に備えることを特徴とする請求項４乃至５の何れかに記載の通信制御方法。
【請求項７】
コンピュータに、
第１の通信システムで待ち受け中に、位置登録エリアが異なる基地局への移動が発生したか否かを判別する移動判別ステップと、
前記移動判別ステップにより位置登録エリアが異なる基地局への移動が発生したと判別された場合に、移動先となる基地局から周辺セル情報を取得する周辺セル情報取得ステップと、
前記周辺セル情報取得ステップにより取得された周辺セル情報に、第１の通信システムと異なり、かつ利用可能な第２の通信システムのセルが含まれているか否かを判別する周辺セル判別ステップと、
前記周辺セル判別ステップにより第２の通信システムのセルが含まれていると判別された場合に乱数を発生する乱数発生ステップと、
前記乱数発生ステップにより生成された乱数と予め記憶される比較値との比較結果に応じて、第１の通信システムから第２の通信システムへの切り替えの可否を判別する切り替え判別ステップと
を実行させることを特徴とするプログラム。
【請求項８】
前記切り替え判別ステップは、予め記憶される比較値の大小に応じて、第１の通信システムから第２の通信システムに切り替える確率を変化させることを特徴とする請求項７記載のプログラム。
【請求項９】
乗車移動を検知する乗車移動検知ステップと、
前記移動判別ステップにより異なる基地局への移動が発生したと判別され、かつ前記乗車移動検知ステップにより乗車移動が検知された場合に、前記周辺セル情報取得ステップに周辺セル情報の取得を指示する取得指示ステップと
を更に備えることを特徴とする請求項７乃至８の何れかに記載のプログラム。
【発明の詳細な説明】
【技術分野】
【０００１】
本発明は、複数種の通信システムを利用可能な携帯電話機に用いて好適な通信制御装置、通信制御方法およびプログラムに関する。
【背景技術】
【０００２】
セル方式による移動体通信システムでは、一般に複数のセルからなる登録エリア単位で位置登録することが知られている。例えば図４に図示するように、電車などの移動している車内に複数の携帯電話機が存在し、それらが例えばＷＣＤＭＡ方式の通信システムで待ち受け状態であった場合に、電車がＷＣＤＭＡ位置登録エリア１の基地局ＡからＷＣＤＭＡ位置登録エリア２の基地局Ｂに移動すると、車内に存在する複数の携帯電話機は一斉に基地局Ｂに位置登録を要求し、これにより位置登録の要求に使用される通信チャネルが輻輳する等、一時的にネットワーク側に負荷をかける虞が生じる。
【０００３】
その為、近年では例えば特許文献１に開示されるように、位置登録を行うタイミングをランダムに遅らせることで複数の携帯電話機が一斉に位置登録を要求しないようにして通信チャネルの輻輳など一時的にネットワーク側に負荷をかける弊害を回避させる技術が知られている。
【先行技術文献】
【特許文献】
【０００４】
【特許文献１】特開２００２−０５１３７４号公報
【発明の概要】
【発明が解決しようとする課題】
【０００５】
ところで、上記特許文献１に開示の技術では、新しい位置登録エリアへの位置登録を遅らす為、仮にその間に着信があると、ネットワークは携帯電話機が新しい位置登録エリアに移動したことを知らずに移動前の位置登録エリアへ着信を通知してしまい、これにより携帯電話機が着信応答できなくなることも起こり得る。つまり言い換えると、位置登録の処理を遅らせることなく、その負荷を分散させることが出来ない、という問題がある。
【０００６】
本発明は、このような事情に鑑みてなされたもので、位置登録の処理を遅らせることなく、その負荷を分散させることができる通信制御装置、通信制御方法およびプログラムを提供することを目的としている。
【課題を解決するための手段】
【０００７】
上記目的を達成するため、本発明の通信制御装置は、第１の通信システムで待ち受け中に、位置登録エリアが異なる基地局への移動が発生したか否かを判別する移動判別手段と、前記移動判別手段により位置登録エリアが異なる基地局への移動が発生したと判別された場合に、移動先となる基地局から周辺セル情報を取得する周辺セル情報取得手段と、前記周辺セル情報取得手段により取得された周辺セル情報に、第１の通信システムと異なり、かつ利用可能な第２の通信システムのセルが含まれているか否かを判別する周辺セル判別手段と、前記周辺セル判別手段により第２の通信システムのセルが含まれていると判別された場合に乱数を発生する乱数発生手段と、前記乱数発生手段により生成された乱数と予め記憶される比較値との比較結果に応じて、第１の通信システムから第２の通信システムへの切り替えの可否を判別する切り替え判別手段とを具備することを特徴とする。
【０００８】
また、本発明の通信制御方法は、第１の通信システムで待ち受け中に、位置登録エリアが異なる基地局への移動が発生したか否かを判別する移動判別処理と、前記移動判別処理により位置登録エリアが異なる基地局への移動が発生したと判別された場合に、移動先となる基地局から周辺セル情報を取得する周辺セル情報取得処理と、前記周辺セル情報取得処理により取得された周辺セル情報に、第１の通信システムと異なり、かつ利用可能な第２の通信システムのセルが含まれているか否かを判別する周辺セル判別処理と、
前記周辺セル判別処理により第２の通信システムのセルが含まれていると判別された場合に乱数を発生する乱数発生処理と、前記乱数発生処理により生成された乱数と予め記憶される比較値との比較結果に応じて、第１の通信システムから第２の通信システムへの切り替えの可否を判別する切り替え判別処理と
を具備することを特徴とする。
【０００９】
さらに、本発明のプログラムは、コンピュータに、第１の通信システムで待ち受け中に、位置登録エリアが異なる基地局への移動が発生したか否かを判別する移動判別ステップと、前記移動判別ステップにより位置登録エリアが異なる基地局への移動が発生したと判別された場合に、移動先となる基地局から周辺セル情報を取得する周辺セル情報取得ステップと、前記周辺セル情報取得ステップにより取得された周辺セル情報に、第１の通信システムと異なり、かつ利用可能な第２の通信システムのセルが含まれているか否かを判別する周辺セル判別ステップと、前記周辺セル判別ステップにより第２の通信システムのセルが含まれていると判別された場合に乱数を発生する乱数発生ステップと、前記乱数発生ステップにより生成された乱数と予め記憶される比較値との比較結果に応じて、第１の通信システムから第２の通信システムへの切り替えの可否を判別する切り替え判別ステップとを実行させることを特徴とする。
【発明の効果】
【００１０】
本発明では、位置登録の処理を遅らせることなく、その負荷を分散させることができる。
【図面の簡単な説明】
【００１１】
【図１】本発明の概略を説明する通信システムの一例を示す図である。
【図２】実施の一形態による携帯電話機１００の構成を示すブロック図である。
【図３】通信システム切替処理の動作を示すフローチャートである。
【図４】セル方式による移動体通信システムにおける位置登録を説明するための図である。
【図５】付記１記載の通信制御装置の機能的構成を示すブロック図である。
【発明を実施するための形態】
【００１２】
以下、図面を参照して本発明の実施形態について説明する。
Ａ．発明の概要
図１は、本発明の概略を説明する通信システムの一例を示す図である。例えば図１に図示するように、電車など移動している車内に複数の通信システムに対応した携帯電話機が存在し、それらが例えばＷＣＤＭＡ方式の通信システムで待ち受け中であった場合に、電車がＷＣＤＭＡ位置登録エリア１の基地局ＡからＷＣＤＭＡ位置登録エリア２の基地局Ｂに移動したとする。
【００１３】
このようなケースにおいて、携帯電話機は乱数発生器で生成される乱数に基づきＷＣＤＭＡ位置登録エリア２の基地局Ｂに位置登録を行うか、あるいはＬＴＥ（Long Term Evolution）システムの基地局Ｃに移動するかを判別する。こうすることで複数の携帯電話機が位置登録エリアを同時に跨いだ際に集中する基地局Ｂへの位置登録の負荷を、位置登録の処理を遅らせることなく、その負荷を分散させることが可能となる。
【００１４】
なお、ＷＣＤＭＡ方式の通信システムからＬＴＥシステムに切り替えした場合には、３ＧＰＰ(3rd Generation Partnership Project)の仕様（TS24.301等）に定められた方法により、ＬＴＥシステムの基地局Ｃに位置登録が必要かを判断し、必要な場合は基地局Ｃに位置登録を行う。また、本発明では、図１において、ＷＣＤＭＡ位置登録エリア２の基地局Ｂから報知情報として送信される周辺セル情報（周囲にどのような基地局があるかを示す情報）に、ＬＴＥシステムの存在を示す情報（例えばＬＴＥ基地局の周波数ＥＡＲＦＣＮ）が入っている場合にのみ実施し、ＬＴＥシステムの基地局が存在する可能性がなければ実施しないようになっている。
【００１５】
Ｂ．携帯電話機１００の構成
次に、図２を参照して、実施の一形態による通信制御装置を備えた携帯電話機１００の構成について説明する。携帯電話機１００は、各部を制御する制御部２００と、当該制御部２００が動作するためのプログラムを格納するＲＯＭや各種データを保存するＲＡＭ等から構成される記憶部３００と、複数の通信システムとの無線通信を行う無線部４００と、表示およびキー操作等を行うためのＭＭＩ（マンマシンインタフェース）部５００と、制御部２００の指示に応じて乱数を発生する乱数発生部２１０とから構成される。
【００１６】
Ｃ．携帯電話機１００の動作
次に、携帯電話機１００が備える通信制御装置の動作として、制御部２００が実行する通信システム切替処理について図３を参照して説明する。図３は通信システム切替処理の動作を示すフローチャートである。この図において、先ずステップＳ１では、例えばＷＣＤＭＡシステムの基地局Ａで待ち受け中の場合に、位置登録エリアが異なる基地局Ｂへの移動が発生したか否かを判断する。位置登録エリアが異なるかどうかの判断は、３ＧＰＰの仕様で定義されているとおりの方法で実施する。
【００１７】
すなわち、制御部２００は、無線部４００を介して移動先の基地局の報知情報を取得し、取得した報知情報に含まれる位置登録エリアを表す情報（ＷＣＤＭＡならばRouting Area identityまたはLocation Area identity、ＬＴＥであればTracking area identity）が、記憶部３００に記憶されている移動前の情報と異なるか否かを判断する。
【００１８】
取得した報知情報に含まれる位置登録エリアを表す情報が移動前の情報と同一ならば、上記ステップＳ１の判断結果は「ＮＯ」となり、基地局Ａと同じ位置登録エリアに属する移動先の基地局で待ち受け状態を維持するが、一方、取得した報知情報に含まれる位置登録エリアを表す情報が移動前の情報と異なると、基地局Ａの位置登録エリアから基地局Ｂの位置登録エリアへ移動したとして、上記ステップＳ１の判断結果が「ＹＥＳ」になり、ステップＳ２に処理を進める。
【００１９】
ステップＳ２では、基地局Ｂの周辺セル情報にＬＴＥシステムのセルが含まれているか否かを判断する。具体的には、制御部２００が無線部４００を介して移動先の基地局Ｂの報知情報に含まれる周辺セル情報を取得し、自身が対応可能で、かつ現在使用している通信システムとは異なる通信システム（本例の場合ＬＴＥシステム）の周辺セル情報が含まれているかを判断する。該当する通信システムの周辺セル情報が含まれていない場合、つまり他に利用可能な通信システムが無ければ、ここでの判断結果は「ＮＯ」になり、ステップＳ５に進み、無線部４００を介してＷＣＤＭＡシステムの基地局Ｂに位置登録する。
【００２０】
これに対し、基地局Ｂから取得した周辺セル情報にＬＴＥシステムのセルが含まれていると、判断結果は「ＹＥＳ」になり、ステップＳ３に進む。ステップＳ３では、乱数発生部２１０に対し、例えば値域が１〜１０の乱数Ｚの発生を指示し、これに応じて乱数発生部２１０が乱数Ｚを生成する。そして、ステップＳ４では、乱数発生部２１０が発生した乱数Ｚに基づきシステム移動（通信システムの切り替え）を行うか否かを判断する。具体的には、乱数Ｚと予め記憶部３００に記憶しておいた比較値Ｙとを比較し、乱数Ｚ≦比較値Ｙを満たした場合に、システム移動（通信システムの切り替え）を行うと判断する。
【００２１】
なお、記憶部３００に記憶される比較値Ｙを大きな値に設定すると、通信システムの切り替えが発生する確率が高くなり、一方、比較値Ｙを小さな値に設定すると、切り替えが発生する確率が低くなる。位置登録の負荷の耐性は、無線リソースの利用効率や基地局の処理能力等により通信システム間で異なるため、比較値Ｙはそれを考慮して設定することが望ましい。
【００２２】
例えばＷＣＤＭＡシステムよりもＬＴＥシステムを優先させる切り替えを具現するには、ＷＣＤＭＡシステム在圏時にＬＴＥシステムの位置登録エリアを跨ぐ時の比較値Ｙを「８．０」にすれば、ＬＴＥシステムに切り替える確率が高くなり、一方、ＬＴＥシステム在圏時にＷＣＤＭＡシステムの位置登録エリアを跨ぐ時の比較値Ｙを「２．０」にすれば、ＷＣＤＭＡシステムに切り替える確率が低くなる。
【００２３】
さて、上記ステップＳ４において、乱数Ｚ＞比較値Ｙなる関係からシステム移動しない（通信システムの切り替えを行わない）と判断した場合には、ステップＳ５に進み、無線部４００を介してＷＣＤＭＡシステムの基地局Ｂに位置登録する。
【００２４】
一方、上記ステップＳ４において、乱数Ｚ≦比較値Ｙなる関係からシステム移動する（通信システムの切り替えを行う）と判断した場合には、ステップＳ６に進み、ＬＴＥシステムの基地局を検出済みであるか否かを判断する。つまり、３ＧＰＰの規定通りの動作として、移動「前」の基地局の報知情報に含まれる周辺セル情報に従い、自身が対応可能でかつ、現在使用している通信システムとは異なる通信システム（ＬＴＥシステム）の基地局のサーチを定期的に行う動作に基づき既にＬＴＥシステムの基地局を検出済みであるかどうかを判断する。
【００２５】
ＬＴＥシステムの基地局を検出済みであると、上記ステップＳ６の判断結果は「ＹＥＳ」になり、ステップＳ９に進み、ＬＴＥシステムの基地局へ移動する。ＬＴＥシステムの基地局に移動した場合には、３ＧＰＰの仕様（TS24.301等）に定められた方法により、移動先基地局での位置登録が必要かを判断し、必要な場合は位置登録を行うが、これについては既知の方法によるため、その詳細については省略する。
【００２６】
これに対し、ＬＴＥシステムの基地局を検出していなければ、上記ステップＳ６の判断結果は「ＮＯ」になり、ステップＳ７に進む。ステップＳ７では、無線部４００を介して移動先の基地局Ｂの報知情報に含まれる周辺セル情報を取得し、取得した周辺セル情報に従ってＬＴＥシステムの基地局をサーチする。そして、ステップＳ８では、上記ステップＳ７のサーチ結果に基づきＬＴＥシステムの基地局が検出されたかどうかを判断する。
【００２７】
そして、ＬＴＥシステムの基地局が検出されなければ、上記ステップＳ８の判断結果は「ＮＯ」になり、ステップＳ５に進み、無線部４００を介してＷＣＤＭＡシステムの基地局Ｂに位置登録する。一方、ＬＴＥシステムの基地局が検出されると、上記ステップＳ８の判断結果が「ＹＥＳ」になり、ステップＳ９に進み、ＬＴＥシステムの基地局へ移動する。ＬＴＥシステムの基地局に移動した場合には、３ＧＰＰの仕様（TS24.301等）に定められた方法により、移動先基地局での位置登録が必要かを判断し、必要な場合は位置登録を行う。
【００２８】
以上説明したように、本実施形態では、ＷＣＤＭＡシステムで待ち受け中に位置登録エリアが異なる基地局への移動が発生すると、移動先となる基地局から取得した周辺セル情報にＬＴＥシステムのセルが含まれているか否かを判断し、取得した周辺セル情報にＬＴＥシステムのセルが含まれていれば、乱数Ｚを発生し、発生した乱数Ｚと予め記憶しておいた比較値Ｙとの比較結果に基づき通信システムの切り替えの可否を判別するので、位置登録の処理を遅らせることなく、その負荷を分散させることができる。
【００２９】
なお、上述した実施形態では、ＷＣＤＭＡシステムの基地局に在圏している場合に、位置登録エリアの移動が発生したケースを一例として説明したが、本発明の主旨はこれに限定されるものではなく、ＬＴＥシステムの基地局に在圏している場合にも上述と同様の動作を行い、ＷＣＤＭＡシステムへの切り替えの可否を判別することも勿論可能である。
【００３０】
また、本実施形態では、複数種の通信システムに対応可能な一例としてＷＣＤＭＡシステムとＬＴＥシステムとに言及したが、それに限らず、例えばＷＣＤＭＡシステムとＧＳＭシステム等、別の通信システムの組み合わせであっても構わない。
【００３１】
さらに、本実施形態では、２種類の通信システムを利用可能な携帯電話機１００について説明したが、これに限らず２種類以上の通信システムを利用可能な携帯電話機であっても同様の手法が使用できる。例えばシステムＡ，Ｂ，Ｃの３種類の通信システムを利用可能な携帯電話機において、システムＡの基地局で待ち受け中に位置登録エリアの移動が発生した場合、上述のステップＳ４（図３参照）において、例えば乱数Ｚが１≦Ｚ＜第１の比較値Ｙまでの場合はシステムＢに切り替え、第１の比較値Ｙ≦Ｚ＜第２の比較値Ｙ‘の場合はシステムＣに切り替え、第２の比較値Ｙ’≦Ｚの場合はシステムＡに留まり位置登録を行う、という動作になる。
【００３２】
また、上述した実施形態において、ステップＳ６（図３参照）の判断（既にＬＴＥ基地局を検出済みか否）を、ステップＳ２で実施するようにすれば、後続のステップＳ７の処理を省略することも可能である。すなわち、移動先の基地局の周辺セル情報に含まれるＬＴＥ基地局をすでに検出済みであった場合にのみ、本発明の動作（乱数を発生させ通信システムの切り替えを実施する）を行う動作としてもよい。加えて、本実施形態では、値域が１〜１０の乱数Ｚを発生するようにしたが、これに限らず、０〜１の範囲でランダムに発生させる乱数Ｚとしても構わない。
【００３３】
本発明が解決する問題は、電車等、複数の端末が同時に位置登録エリアを移動するケースであり、歩行中など乗り物に乗っていない場合にはあまり必要とされない。そこで、近年普及している携帯電話機に内蔵しているSuica等で駅の改札や、バスの支払い機を通過した場合に、乗り物に乗ったと判断し、その場合にのみ、本発明の動作を行うとしても良い。また、乗り物に乗っていることを、携帯電話の移動速度で判断してもよい。例えば時速20km以上で移動している場合は、乗り物に乗っていると判断し、本発明の動作を行う態様としてもよい。
【００３４】
Ｄ．付記１記載の通信制御装置と実施形態との対応関係
次に、図５を参照して付記１記載の通信制御装置と実施形態との対応関係について説明する。図５は付記１記載の通信制御装置の機能的構成を示すブロック図である。この図において、移動判別手段１０は、第１の通信システムで待ち受け中に、位置登録エリアが異なる基地局への移動が発生したか否かを判別するものであり、上述した実施形態の制御部２００が実行する通信システム切替処理のステップＳ１（図３参照）に対応する。
【００３５】
周辺セル情報取得手段２０は、移動判別手段１０により位置登録エリアが異なる基地局への移動が発生したと判別された場合に、移動先となる基地局から周辺セル情報を取得するものであり、上述した実施形態の制御部２００が実行する通信システム切替処理のステップＳ２に対応する。
【００３６】
周辺セル判別手段３０は、周辺セル情報取得手段により取得された周辺セル情報に、第１の通信システムと異なり、かつ利用可能な第２の通信システムのセルが含まれているか否かを判別するものであり、上述した実施形態の制御部２００が実行する通信システム切替処理のステップＳ２に対応する。
【００３７】
乱数発生手段４０は、周辺セル判別手段３０により第２の通信システムのセルが含まれていると判別された場合に乱数を発生するものであり、上述した実施形態の制御部２００が実行する通信システム切替処理のステップＳ３および乱数発生部２１０（図２参照）に対応する。
【００３８】
切り替え判別手段５０は、乱数発生手段３０により生成された乱数と予め記憶される比較値との比較結果に応じて、第１の通信システムから第２の通信システムへの切り替えの可否を判別するものであり、上述した実施形態の制御部２００が実行する通信システム切替処理のステップＳ４に対応する。
【００３９】
上記構成によれば、第１の通信システムで待ち受け中に、位置登録エリアが異なる基地局への移動が発生すると、移動先となる基地局から周辺セル情報を取得し、取得した周辺セル情報に第１の通信システムと異なり、かつ利用可能な第２の通信システムのセルが含まれているか否かを判別し、第２の通信システムのセルが含まれていれば、乱数を発生し、発生された乱数と予め記憶される比較値との比較結果に応じて、第１の通信システムから第２の通信システムへの切り替えの可否を判別するので、位置登録の処理を遅らせることなく、その負荷を分散させることができる。
【００４０】
Ｅ．付記
次に、本発明の特徴を付記する。なお、上記の実施形態の一部又は全部は、以下の付記のように記載され得るが、その記載に限定されるものではない。
【００４１】
（付記１）
第１の通信システムで待ち受け中に、位置登録エリアが異なる基地局への移動が発生したか否かを判別する移動判別手段と、
前記移動判別手段により位置登録エリアが異なる基地局への移動が発生したと判別された場合に、移動先となる基地局から周辺セル情報を取得する周辺セル情報取得手段と、
前記周辺セル情報取得手段により取得された周辺セル情報に、第１の通信システムと異なり、かつ利用可能な第２の通信システムのセルが含まれているか否かを判別する周辺セル判別手段と、
前記周辺セル判別手段により第２の通信システムのセルが含まれていると判別された場合に乱数を発生する乱数発生手段と、
前記乱数発生手段により生成された乱数と予め記憶される比較値との比較結果に応じて、第１の通信システムから第２の通信システムへの切り替えの可否を判別する切り替え判別手段と
を具備することを特徴とする通信制御装置。
【００４２】
（付記２）
前記切り替え判別手段は、予め記憶される比較値の大小に応じて、第１の通信システムから第２の通信システムに切り替える確率を変化させることを特徴とする付記１記載の通信制御装置。
【００４３】
（付記３）
乗車移動を検知する乗車移動検知手段と、
前記移動判別手段により異なる基地局への移動が発生したと判別され、かつ前記乗車移動検知手段により乗車移動が検知された場合に、前記周辺セル情報取得手段に周辺セル情報の取得を指示する取得指示手段と
を更に備えることを特徴とする付記１乃至２の何れかに記載の通信制御装置。
【００４４】
（付記４）
第１の通信システムで待ち受け中に、位置登録エリアが異なる基地局への移動が発生したか否かを判別する移動判別処理と、
前記移動判別処理により位置登録エリアが異なる基地局への移動が発生したと判別された場合に、移動先となる基地局から周辺セル情報を取得する周辺セル情報取得処理と、
前記周辺セル情報取得処理により取得された周辺セル情報に、第１の通信システムと異なり、かつ利用可能な第２の通信システムのセルが含まれているか否かを判別する周辺セル判別処理と、
前記周辺セル判別処理により第２の通信システムのセルが含まれていると判別された場合に乱数を発生する乱数発生処理と、
前記乱数発生処理により生成された乱数と予め記憶される比較値との比較結果に応じて、第１の通信システムから第２の通信システムへの切り替えの可否を判別する切り替え判別処理と
を具備することを特徴とする通信制御方法。
【００４５】
（付記５）
前記切り替え判別処理は、予め記憶される比較値の大小に応じて、第１の通信システムから第２の通信システムに切り替える確率を変化させることを特徴とする付記４記載の通信制御方法。
【００４６】
（付記６）
乗車移動を検知する乗車移動検知処理と、
前記移動判別処理により異なる基地局への移動が発生したと判別され、かつ前記乗車移動検知処理により乗車移動が検知された場合に、前記周辺セル情報取得処理に周辺セル情報の取得を指示する取得指示処理と
を更に備えることを特徴とする付記４乃至５の何れかに記載の通信制御方法。
【００４７】
（付記７）
コンピュータに、
第１の通信システムで待ち受け中に、位置登録エリアが異なる基地局への移動が発生したか否かを判別する移動判別ステップと、
前記移動判別ステップにより位置登録エリアが異なる基地局への移動が発生したと判別された場合に、移動先となる基地局から周辺セル情報を取得する周辺セル情報取得ステップと、
前記周辺セル情報取得ステップにより取得された周辺セル情報に、第１の通信システムと異なり、かつ利用可能な第２の通信システムのセルが含まれているか否かを判別する周辺セル判別ステップと、
前記周辺セル判別ステップにより第２の通信システムのセルが含まれていると判別された場合に乱数を発生する乱数発生ステップと、
前記乱数発生ステップにより生成された乱数と予め記憶される比較値との比較結果に応じて、第１の通信システムから第２の通信システムへの切り替えの可否を判別する切り替え判別ステップと
を実行させることを特徴とするプログラム。
【００４８】
（付記８）
前記切り替え判別ステップは、予め記憶される比較値の大小に応じて、第１の通信システムから第２の通信システムに切り替える確率を変化させることを特徴とする付記７記載のプログラム。
【００４９】
（付記９）
乗車移動を検知する乗車移動検知ステップと、
前記移動判別ステップにより異なる基地局への移動が発生したと判別され、かつ前記乗車移動検知ステップにより乗車移動が検知された場合に、前記周辺セル情報取得ステップに周辺セル情報の取得を指示する取得指示ステップと
を更に備えることを特徴とする付記７乃至８の何れかに記載のプログラム。
【符号の説明】
【００５０】
１００  携帯電話機
２００  制御部
２１０  乱数発生部
３００  記憶部
４００  無線部
５００  ＭＭＩ部
【図１】
2012239050.tif 000003
【図２】
2012239050.tif 000004
【図３】
2012239050.tif 000005
【図４】
2012239050.tif 000006
【図５】
2012239050.tif 000007